(57)【要約】【課題】  各種の電子装置の動作電力を供給する電源装置の種別を識別する電源種別識別装置に関し、自動的に識別する。【解決手段】  電源装置を接続する電子装置１の端子Ｔ１，Ｔ２間に、ノーヒューズブレーカ７と抵抗６とスイッチ５との直列回路を接続し、且つ端子Ｔ１，Ｔ２間に、電子回路２に安定化直流電圧を供給するＤＣ／ＤＣコンバータ３を接続し、このＤＣ／ＤＣコンバータ３に設けた電圧垂下検出部４と、直列回路の抵抗６を介して流れる電流が付加されたことによる電源装置の過電流保護回路１０ａが動作して、電圧垂下の制御を行った時は、電圧垂下検出部４による電圧垂下の検出により、電源装置は、専用電源装置と判別し、ノーヒューズブレーカ７が動作した時は、電源装置は、汎用電源装置と判別する電源種別判別部８とを備えている。【選択図】        図１
2007087237.tif 000002
【特許請求の範囲】
【請求項１】
電子装置の電源装置が、該電子装置専用の専用電源装置であるか又は他の電子装置の電源装置と共用可能の汎用電源装置であるかを識別する電源種別識別装置に於いて、
前記電源装置を接続する端子間に接続したノーヒューズブレーカと抵抗とスイッチとの直列回路と、
前記端子間に接続し、電子回路に安定化直流電圧を供給するＤＣ／ＤＣコンバータに設けた電圧垂下検出部と、
該電圧垂下検出部による電圧垂下の検出により前記専用電源装置と判別し、前記ノーヒューズブレーカ動作検出により前記汎用電源装置と判別する電源種別判別部と
を備えたことを特徴とする電源種別識別装置。
【請求項２】
前記直列回路の前記スイッチを、前記電源種別判別部に於ける電源種別判別後にオフとする構成を備えたことを特徴とする請求項１記載の電源種別識別装置。
【請求項３】
過電流保護回路の過電流保護閾値を電源投入時に低くし、過電流保護により所定の過電流保護閾値の２段階に切替える構成を含む電子装置の専用電源装置であるか又は他の電子装置と共用可能の汎用電源装置であるかを識別する電源種別識別装置に於いて、
前記電源装置を接続する端子間に接続したノーヒューズブレーカと抵抗とスイッチとの直列回路と、
前記端子間に接続し、電子回路に安定化直流電圧を供給するＤＣ／ＤＣコンバータに設けて、前記電源装置の前記低い過電流保護閾値設定時の過電流保護回路の動作による直流電圧の垂下を検出する電圧垂下検出部と、
該電圧垂下検出部による電圧垂下の検出により前記専用電源装置と判別し、前記ノーヒューズブレーカ動作検出により前記汎用電源装置と判別する電源種別判別部と
を備えたことを特徴とする電源種別識別装置。
【発明の詳細な説明】
【技術分野】
【０００１】
本発明は、通信装置等の電子装置に給電する為の電源装置が、電子装置の専用電源装置であるか、他の電子装置と共用する汎用電源装置であるかを識別する電源種別識別装置に関する。
【背景技術】
【０００２】
通信装置等の各種の電子装置は、直流電圧給電により動作するものであり、その為の電源装置は、所定の電圧を出力するＤＣ／ＤＣコンバータを含む構成が一般的である。又各電子装置に専用の電源装置を設ける場合と、同一個所に設定した複数の電子装置に対して共通の電源装置を設ける場合とがある。又電子装置の種別情報と正常、異常等の動作情報とを、上位装置のサーバや監視装置に転送するシステムが知られている。
【０００３】
又電源装置は、商用交流電圧を所定の直流電圧に変換するＡＣ／ＤＣコンバータを用いた構成が一般的であり、電子装置対応の専用電源装置を用いる場合は、設置等の取り扱いの点から同一筐体内に設けることになる。又複数の電子装置に対して共通の汎用電源装置を設けて給電する場合もある。従って、遠隔監視システム等に於いては、電源装置が専用電源装置であるか又は汎用電源装置であるか等の電源装置の種別情報も収集することが要望されている。
【０００４】
又商用交流電圧を整流して所定の直流電圧に変換して給電する直流電源と、バッテリ電源との両方により動作可能のコンピュータに於いて、このコンピュータからハードディスク装置に給電し、且つリード、ライト動作を行う構成の場合に、コンピュータは、直流電源装置からの給電であるか又はバッテリ電源からの給電であるかの電源種別検出を行い、バッテリ電源からの給電であることを検出した時に、パワーセーブモードに移行する為の電源種別検出手段が知られている（例えば、特許文献１参照）。
【０００５】
又交流電圧を直流電圧に変換するＡＣ／ＤＣコンバータに於いて、負荷となる装置の種別を、その装置からのインピーダンス変動通知により識別し、その負荷となる装置に対応した直流電圧となるように制御して、給電する負荷種別の検出手段も知られている（特許文献２参照）。
【特許文献１】特開平５−１９９１５号公報
【特許文献２】特開２０００−１３４８１６号公報
【発明の開示】
【発明が解決しようとする課題】
【０００６】
同一の電子装置であっても、その設置個所に応じて、個別の専用電源装置から給電する場合と、他の装置と共通の汎用電源装置から給電する場合があり、個別の専用電源装置を電子装置と同一筐体内に設けることにより、設置等が容易となる。又前述のように、他の電子装置と共通の汎用電源装置から給電する場合は、同一筐体内に設けた専用電源装置は不要となるから、その専用電源装置を取り外した構成として、その専用電源装置分のコスト低減を図ることができる。しかし、電子装置としての筐体は、専用電源装置の有無にかかわらず同一とする場合が一般的であり、従って、専用電源装置を不要とした場合に、無駄なスペースを含む筐体となる問題がある。なお、筐体を専用電源装置の有無に対応した大きさとして構成することも考えられるが、多品種生産の為にコストアップとなる問題がある。
【０００７】
又前述のように、電子装置の種別や状態等の情報と共に、電源装置の種別や状態等の情報をサーバ等の監視装置へ通知する為に、電子装置に電源種別を切替えて通知する設定スイッチを設けることが考えられる。しかし、保守者等による設定操作誤りがあると、電子装置の動作状態を含む電源装置の状態判定に誤りが発生し、迅速な対応ができなくなる問題がある。
【０００８】
本発明は、前述の問題点を解決するもので、電源装置の種別を自動的に識別することを目的とする。
【課題を解決するための手段】
【０００９】
本発明の電源種別識別装置は、電子装置の電源装置が、該電子装置専用の専用電源装置であるか又は他の電子装置の電源装置と共用可能の汎用電源装置であるかを識別する電源種別識別装置に於いて、前記電源装置を接続する端子間に接続したノーヒューズブレーカと抵抗とスイッチとの直列回路と、前記端子間に接続し、電子回路に安定化直流電圧を供給するＤＣ／ＤＣコンバータに設けた電圧垂下検出部と、該電圧垂下検出部による電圧垂下の検出により前記専用電源装置と判別し、前記ノーヒューズブレーカ動作検出により前記汎用電源装置と判別する電源種別判別部とを備えている。
【００１０】
又前記直列回路の前記スイッチを、前記電源種別判別部に於ける電源種別判別後にオフとする構成を備えている。
【００１１】
又過電流保護回路の過電流保護閾値を電源投入時に低くし、過電流保護により所定の過電流保護閾値の２段階に切替える構成を含む電子装置の専用電源装置であるか又は他の電子装置と共用可能の汎用電源装置であるかを識別する電源種別識別装置に於いて、前記電源装置を接続する端子間に接続したノーヒューズブレーカと抵抗とスイッチとの直列回路と、前記端子間に接続し、電子回路に安定化直流電圧を供給するＤＣ／ＤＣコンバータに設けて、前記電源装置の前記低い過電流保護閾値設定時の過電流保護回路の動作による直流電圧の垂下を検出する電圧垂下検出部と、該電圧垂下検出部による電圧垂下の検出により前記専用電源装置と判別し、前記ノーヒューズブレーカ動作検出により前記汎用電源装置と判別する電源種別判別部とを備えている。
【発明の効果】
【００１２】
電子装置に動作電力を供給する電源装置が、電子装置の消費電力に対応した容量の専用電源装置であるか、又は他の電子装置と共用する容量の大きい汎用電源装置であるかを、電源装置の接続時に、自動的に識別することができる。
【発明を実施するための最良の形態】
【００１３】
本発明の電源種別識別装置は、図１を参照して説明すると、電源装置を接続する端子Ｔ１，Ｔ２間に接続したノーヒューズブレーカ７と抵抗６とスイッチ５との直列回路と、端子Ｔ１，Ｔ２間に接続し、電子回路２に安定化直流電圧を供給するＤＣ／ＤＣコンバータ３に設けた電圧垂下検出部４と、この電圧垂下検出部４による電圧垂下の検出により、専用電源装置と判別し、ノーヒューズブレーカ７動作検出により、汎用電源装置と判別する電源種別判別部８とを備えている。
【実施例１】
【００１４】
図１は、本発明の実施例１の説明図であり、１は電子装置、２は電子回路、３はＤＣ／ＤＣコンバータ、４は電圧垂下検出部、５はスイッチ（ＳＷ）、６は抵抗、７はノーヒューズブレーカ（ＮＦＢ）、８は電源種別判別部、１０はＡＣ／ＤＣコンバータ、１０ａは過電流保護回路、Ｔ１，Ｔ２は端子を示す。ＡＣ／ＤＣコンバータ１０は、電子装置１の電源装置に相当し、例えば、１００Ｖ又は２００Ｖの商用交流電圧を、４８Ｖ直流電圧に変換出力する構成を有し、内部には、過電流保護回路１０ａ、即ち、過電流を検出した時に、出力直流電圧を急低下又は出力遮断により、出力電流の増加を阻止する構成を備えている。この過電流保護回路１０ａは、既に、各種のＡＣ／ＤＣコンバータ又はＤＣ／ＤＣコンバータにも搭載されているものであり、それらの構成を適用することができる。又交換機等に関連した電子装置は、−４８Ｖの直流電圧を動作電圧とする場合が一般的であるから、この実施例１に於けるＡＣ／ＤＣコンバータ１０は、端子Ｔ１に−４８Ｖ、端子Ｔ２に０Ｖの直流電圧を印加する構成として示している。
【００１５】
電子装置１は、端子Ｔ１，Ｔ２に印加されるＡＣ／ＤＣコンバータ１０からの直流電圧を、電子回路２の動作電圧の５Ｖや３Ｖ等の単一又は複数種類の安定化直流電圧に変換するＤＣ／ＤＣコンバータ３を備え、このＤＣ／ＤＣコンバータ３の電圧垂下検出部４は、端子Ｔ１，Ｔ２に入力された直流電圧が規定値の−４８Ｖから、ＡＣ／ＤＣコンバータ１０の過電流保護回路１０ａによる出力直流電圧の垂下又は遮断を検出するもので、一般的に知られている入力電圧低下検出手段の構成を適用することもできる。
【００１６】
この実施例１に於いては、ＤＣ／ＤＣコンバータ３の電圧垂下検出部４と、スイッチ５と、抵抗６と、ノーヒューズブレーカ７と、電源種別判別部８とにより、電源種別識別装置を構成した場合を示し、端子Ｔ１，Ｔ２間に、ノーヒューズブレーカ７と抵抗６とスイッチ５との直列回路を接続しており、スイッチ５は、リレースイッチであり、ＤＣ／ＤＣコンバータ３の電圧垂下検出部４からオン、オフを制御する構成とした場合を示す。又ノーヒューズブレーカ７は、補助接点を有する場合を示す。このノーヒューズブレーカ７は、既に各種の構成が知られており、設定電流を超える電流が流れた時に自動的に接点を開く構成を有し、その接点と同時に動作する補助接点を有する構成も知られており、この実施例１に於けるノーヒューズブレーカ７は、この補助接点を有するものである。又動作後に自動復帰や手動復帰を行う構成等も知られている。
【００１７】
又電源装置としてのＡＣ／ＤＣコンバータ１０は、電子装置１の専用電源装置に相当する場合と、他の図示していない電子装置の電源と共用する汎用電源装置に相当する場合とがある。専用電源装置の場合は、電子装置１の最大消費電力に対して数％程度の余裕の出力電力の構成とし、又汎用電源装置の場合は、複数の電子装置の合計の消費電力を供給できる出力電力の構成を有することになる。
【００１８】
電子装置１の端子Ｔ１，Ｔ２に、電源装置としてのＡＣ／ＤＣコンバータ１０を接続する前、又は接続してもＡＣ／ＤＣコンバータ１０の交流電源側をオフとしている状態で、ノーヒューズブレーカ７はオン、スイッチ５はオンの状態とすると、端子Ｔ１，Ｔ２に対して、抵抗６がノーヒューズブレーカ７とスイッチ５とを介して接続された状態となる。この状態で、専用電源装置としてのＡＣ／ＤＣコンバータ１０からの直流電圧を電子装置１の端子Ｔ１，Ｔ２に印加すると、抵抗６を介して流れる電流と、電子回路２に供給する為のＤＣ／ＤＣコンバータ３に流れる電流との和の電流が流れることになり、ノーヒューズブレーカ７が動作する前に、専用電源装置としてのＡＣ／ＤＣコンバータ１０の過電流保護回路１０ａが動作する。
【００１９】
ＡＣ／ＤＣコンバータ１０の過電流保護回路１０ａの動作により、端子Ｔ１，Ｔ２に印加する直流電圧が垂下されるから、ＤＣ／ＤＣコンバータ３の電圧垂下検出部４により検出し、スイッチ５をオフとするように制御する。それにより過電流状態がなくなるから、専用電源装置としてのＡＣ／ＤＣコンバータ１０が直流電圧の出力動作を再開させると、スイッチ５により抵抗６が切り離されていることにより、ＡＣ／ＤＣコンバータ１０は、正常に動作して電子回路２に直流電力を供給することができる。この場合、電源種別判別部８は、ノーヒューズブレーカ７が動作しなかったので、その補助接点の状態から、電子装置１の端子Ｔ１，Ｔ２に接続した電源装置は、専用電源装置であると判別し、その電源種別判別信号を、図示を省略しているサーバや監視装置に転送する。
【００２０】
又汎用電源装置としてのＡＣ／ＤＣコンバータ１０の場合は、電流容量が専用電源装置の場合に比較して大きいから、抵抗６を介して流れる電流と、電子回路２に供給する為のＤＣ／ＤＣコンバータ３の電流との和に対しても、過電流保護回路１０ａは動作しない。この場合は、抵抗６に流れる電流によりノーヒューズブレーカ７が動作する。電源種別判別部８は、ノーヒューズブレーカ７が動作したことによる補助接点の状態の変化を基に、汎用電源装置が接続されたと判別し、汎用電源装置を示す電源種別判別信号を出力する。又正常動作中は、スイッチ５をオフとし、ノーヒューズブレーカ７が復帰しても、抵抗６に電流が流れないようにする。又電子装置１の電源オフ時に、前述の初期状態に復帰させて、直流電圧の印加初期に、前述の動作により、電源装置の種別判別を再度行わせることもできる。又動作したノーヒューズブレーカ７は、スイッチ５をオフとすることにより復帰させ、電源装置から直流電圧印加と同時にスイッチ５をオンとし、再度電源種別判別処理を行わせる構成とすることもできる。
【００２１】
図２は、本発明の実施例１の詳細な説明図であり、図１と同一符号は同一部分を示し、１１はフリップフロップ（ＦＦ）、１２は遅延回路、１３はフリップフロップ（ＦＦ）、１４は抵抗、７ａは主接点、７ｂは補助接点を示す。ノーヒューズブレーカ７は、主接点７ａと補助接点７ｂとを有し、又電源種別判別部８は、フリップフロップ１１と遅延回路１２とを含む構成を有し、例えば、フリップフロップ１１の出力信号の電源種別識別信号の“１”（ハイレベル）を専用電源装置の識別信号、“０”（ローレベル）を汎用電源装置の識別信号とすることができる。又ノーヒューズブレーカ７の主接点７ａと補助接点７ｂとは同時にオン、オフする場合を示すが、それぞれが逆の動作となる構成を適用することも可能である。しかし、その場合は、フリップフロップ７の出力信号による電源種別識別信号の関係は、前述の場合と逆になる。
【００２２】
又ＤＣ／ＤＣコンバータ３の出力電圧が、ノーヒューズブレーカ７の補助接点７ｂを介して抵抗１４に印加され、その抵抗１４の端子電圧が、電源種別判別部８のフリップフロップ１１に加えられ、補助接点７ｂがオン状態の場合は“１”（ハイレベル）、オフ状態の場合は、抵抗１４を介して接地されるから“０”（ローレベル）の入力となる。又その出力電圧の立ち上がりから所定の時間、遅延回路１２により遅延されて、セット端子Ｓにセット信号として入力される。又フリップフロップ１３は、電圧垂下検出部４からセット、リセットの制御を行って、スイッチ５のオン、オフを制御するものであり、例えば、リセットによりスイッチ５をオフ、セットによりスイッチ５をオンとすることができる。この場合、電圧垂下検出部４により電圧垂下を検出すると、フリップフロップ１３をリセットし、それによりスイッチ５をオフとする。又電源種別判別信号を出力すると共に、フリップフロップ１３をリセットし、それによりスイッチ５をオフとする。
【００２３】
図示の状態で、端子Ｔ１，Ｔ２に汎用電源装置を接続して電子装置１に直流電圧を印加すると、ＤＣ／ＤＣコンバータ３が動作を開始する。又ノーヒューズブレーカ７の主接点７ａとスイッチ５とを介して、抵抗６に電流が流れる。汎用電源装置の場合は電流容量が大きいので、抵抗６を介して流れる電流とＤＣ／ＤＣコンバータ３を介して電子回路２に流れる電流との和の電流に対しても余裕があるから、汎用電源装置のＡＣ／ＤＣコンバータの過電流保護回路は動作しないことになる。その為に、抵抗６に流れる電流によりノーヒューズブレーカ７が動作し、主接点７ａがオフ状態となる。又電圧垂下検出部４は電圧垂下の状態とならないので、フリップフロップ１３をリセットしない。又ＤＣ／ＤＣコンバータ３の動作開始から遅延回路１２による遅延時間後に、動作開始の立ち上がり電圧がフリップフロップ１１にセット信号として加えられると共に、フリップフロップ１３にリセット信号として加えられ、フリップフロップ１３のリセットにより、スイッチ５はオフとなる。
【００２４】
この時、ノーヒューズブレーカ７が動作したことにより、その主接点７ａと補助接点７ｂとがオフとなっているから、フリップフロップ１１には、抵抗１４を介してローレベル信号として加えられる。従って、フリップフロップ１１はローレベル信号を保持するから、電源種別判別信号は、汎用電源装置を示す“０”（ローレベル）となる。このノーヒューズブレーカ７の動作後の復帰は、スイッチ５をオフ状態とした後に行うことができるもので、自動復旧又は電子装置１の図示を省略した電源スイッチを再びオンとした時に行う構成とすることも可能であり、電源スイッチをオンとする際に、再度電源種別の識別処理を行う構成とすることも可能である。
【００２５】
又専用電源装置を端子Ｔ１，Ｔ２に接続して直流電圧を印加した場合は、ＤＣ／ＤＣコンバータ３が立ち上がると、このＤＣ／ＤＣコンバータ３と抵抗６とに流れる電流の和により、専用電源装置の過電流保護回路が動作して、端子Ｔ１，Ｔ２に印加した直流電圧を０Ｖ又はそれに近い電圧に垂下させる。ＤＣ／ＤＣコンバータ３の電圧垂下検出部４は、この電圧垂下を検出して、フリップフロップ１３をリセットし、スイッチ５をオフとする。又ノーヒューズブレーカ７は動作しないので、その主接点７ａと補助接点７ｂとはオン状態のままである。
【００２６】
次に、専用電源装置は、過電流保護回路の動作後、所定時間経過又はスイッチ５のオフにより過電流状態でない状態となると、再度出力直流電圧を端子Ｔ１，Ｔ２に印加する。その時、スイッチ５がオフ状態に制御されているから、抵抗６に電流が流れないので、専用電源装置では過電流保護回路は動作しない。又ノーヒューズブレーカ７は動作しなかったので、補助接点７ｂはオンの状態を継続している。従って、電源種別判別部８のフリップフロップ１１には、補助接点７ｂを介してハイレベル信号が入力され、ＤＣ／ＤＣコンバータ３の再立ち上げとなって、その立ち上がり電圧が、遅延回路１２による遅延時間後に、フリップフロップ１１にセット信号として加えられ、又フリップフロップ１３にはリセット信号として加えられることになり、フリップフロップ１３のリセットにより、スイッチ５はオフとなる。又フリップフロップ１１は、ノーヒューズブレーカ７が動作しなかったことによるハイレベル信号を保持し、電源種別判別信号は、専用電源装置を示す“１”（ハイレベル）となる。
【実施例２】
【００２７】
図３は、本発明の実施例２の説明図であり、図１と同一符号は同一部分を示す。この実施例２は、ノーヒューズブレーカ７は、主接点のみの構成とし、ＤＣ／ＤＣコンバータ３の電圧垂下検出部４による電圧垂下の検出の有無により、端子Ｔ１，Ｔ２に接続されたＡＣ／ＤＣコンバータ１０を含む電源装置が、専用電源装置であるか、又は汎用電源装置であるかを、電源種別判別部８により判別するものである。即ち、端子Ｔ１，Ｔ２に、専用電源装置を接続した場合、端子Ｔ１，Ｔ２間に、オン状態のノーヒューズブレーカ７とスイッチ５とを介して抵抗６が接続されているから、ＤＣ／ＤＣコンバータ３の動作開始直後に、専用電源装置の過電流保護回路が動作し、電圧垂下検出部４は、この電圧垂下を検出し、スイッチ５をオフとするように制御すると共に、電源種別判別部８に電圧垂下検出を通知する。専用電源装置の動作再開時には、抵抗６が端子Ｔ１，Ｔ２間から切り離されているから、過電流保護回路は動作しない。又電源種別判別部８は、電圧垂下検出があったことにより、専用電源装置を示す電源種別判別信号を出力する。
【００２８】
又汎用電源装置を端子Ｔ１，Ｔ２に接続した場合は、汎用電源装置の過電流保護回路が動作しないので、抵抗６を流れる電流によりノーヒューズブレーカ７が動作し、ＤＣ／ＤＣコンバータ３の電圧垂下検出部４は、電圧垂下検出を行っていないので、電源種別判別部８は、汎用電源装置を示す電源種別判別信号を出力し、又スイッチ５をオフとするように制御する。
【００２９】
図４は、本発明の実施例２の詳細な説明図であり、図２と同一符号は同一部分を示す。この実施例２に於いては、ノーヒューズブレーカ７は、主接点のみ利用するもので、電圧垂下検出部４の電圧垂下検出信号を、電源種別判別部８のフリップフロップ１１に入力し、ＤＣ／ＤＣコンバータ３の立ち上がり電圧を遅延回路１２により遅延させて、フリップフロップ１１のセット信号とし、且つスイッチ５のオフ制御信号とする。
【００３０】
従って、端子Ｔ１，Ｔ２に専用電源装置を接続した場合、ノーヒューズブレーカ７とスイッチ５とを介して抵抗６に電流が流れると共に、電子回路２に供給する電流に相当する電流がＤＣ／ＤＣコンバータ３に流れ、専用電源装置は、ノーヒューズブレーカ７が動作する前に、抵抗６に流れる分、過電流状態となり、過電流保護回路が動作して電圧垂下制御を行う。この電圧垂下をＤＣ／ＤＣコンバータ３の電圧垂下検出部４により検出し、電源種別判別部８のフリップフロップ１１にローレベル信号を入力する。専用電源装置の過電流保護回路が復旧して、端子Ｔ１，Ｔ２に直流電圧を再度印加することにより、ＤＣ／ＤＣコンバータ３の立ち上がり電圧が、遅延回路１２を介してフリップフロップ１１のセット信号として、又スイッチ５にオフ制御信号として、それぞれ加えられるから、フリップフロップ１１は、ローレベル信号を保持し、専用電源装置を示す“０”（ローレベル）の電源種別判別信号を出力する。又スイッチ５をオフとすることにより、抵抗６を流れる電流を遮断し、無駄な電力消費をなくすものである。
【００３１】
又端子Ｔ１，Ｔ２に汎用電源装置を接続した場合、汎用電源装置の過電流保護回路が動作する程度の電流が流れないので、抵抗６を流れる電流により、ノーヒューズブレーカ７が動作し、抵抗６に流れる電流を遮断する。又ＤＣ／ＤＣコンバータ３の電圧垂下検出部４は、動作開始直後の電圧垂下を検出していないので、ハイレベル信号を、電源種別判別部８のフリップフロップ１１に入力する。又ＤＣ／ＤＣコンバータ３の立ち上がり電圧が遅延回路１２を介してフリップフロップ１１のセット信号として加えられるから、フリップフロップ１１はハイレベル信号を保持し、汎用電源装置を示す“１”（ハイレベル）の電源種別判別信号を出力する。又ノーヒューズブレーカ７が動作しているが、スイッチ５をオフとする。この実施例２に於いては、ノーヒューズブレーカ７を省略しても、電源種別判別が可能である。
【実施例３】
【００３２】
前述の電源装置の図１又は図３に示す特に専用電源装置の過電流保護回路１０ａを、過電流保護閾値を２段階切替えの構成とし、初期状態では電流保護閾値を低くし、一旦電流保護回路１０ａが動作すると、電流保護閾値を通常の値に切替設定する。このような電流保護閾値の切替設定の構成は、閾値の切替えだけであるから、容易に実現することができる。このように、電子装置１の端子Ｔ１，Ｔ２に接続した電源装置の初期状態の過電流保護閾値を低く設定することにより、電子装置１の端子Ｔ１，Ｔ２間のノーヒューズブレーカ７と抵抗６とスイッチ５との直列回路に流れる電流により、ノーヒューズブレーカ７が動作する前に、初期の過電流保護閾値に従って、過電流保護回路１０ａが動作し、出力直流電圧を垂下させる。この電圧垂下を、ＤＣ／ＤＣコンバータ３の電圧垂下検出部４により検出し、スイッチ５をオフとするように制御する。
【００３３】
電源装置は、過電流保護回路１０ａにより出力直流電圧の垂下制御を行った後、過電流保護閾値を通常の値に切替設定し、電子装置１に対する給電を開始する。その時、スイッチ５はオフに制御されているから、抵抗６には電流が流れない。従って、動作電流が小さいノーヒューズブレーカ７であっても動作しない。この場合、電圧垂下検出部４により電圧垂下を検出したことにより、電源種別判別信号は、専用電源装置を示すものとなる。
【００３４】
又汎用電源装置を端子Ｔ１，Ｔ２に接続して、その出力直流電圧を端子Ｔ１，Ｔ２間に印加すると、抵抗６を介して流れる電流が付加された状態でも、汎用電源装置の過電流保護回路は動作しないので、ノーヒューズブレーカ７が動作する。このノーヒューズブレーカ７の動作により、電源種別判別部８は、汎用電源装置を示す電源種別判別信号を出力することになる。従って、小型の廉価なノーヒューズブレーカを用いることが可能となり、コストダウンを図ることができる。
【図面の簡単な説明】
【００３５】
【図１】本発明の実施例１の説明図である。
【図２】本発明の実施例１の詳細な説明図である。
【図３】本発明の実施例２の説明図である。
【図４】本発明の実施例２の詳細な説明図である。
【符号の説明】
【００３６】
１    電子装置
２    電子回路
３    ＤＣ／ＤＣコンバータ
４    電圧垂下検出部
５    スイッチ（ＳＷ）
６    抵抗
７    ノーヒューズブレーカ（ＮＦＢ）
８    電源種別判別部
１０  ＡＣ／ＤＣコンバータ
１０ａ  過電流保護回路
【図１】
2007087237.tif 000003
【図２】
2007087237.tif 000004
【図３】
2007087237.tif 000005
【図４】
2007087237.tif 000006